(57)【要約】【課題】シンクライアン端末として用いるためのＯＳと、汎用の一般的なＯＳとの切り替えを容易に行えるシンクライアントコンピュータ装置を提供する。【解決手段】シンクライアントコンピュータ装置１０を汎用コンピュータとして動作させるための第１のＯＳ１４ａが記憶された第１の記憶装置１４と、前記第１の記憶装置１４とは物理的に独立して設けられ、シンクライアントコンピュータ装置１０をシンクライアント端末として動作させるための第２のＯＳ１５ａが記憶された第２の記憶装置１５と、前記第１のＯＳ１４ａと第２のＯＳ１５ａのいずれかを選択して切り替えるためのＯＳ切り替え手段（ＢＩＯＳ１２）と、を備えた。【選択図】図１
2012037956.tif 000002
【特許請求の範囲】
【請求項１】
シンクライアントコンピュータ装置を汎用コンピュータとして動作させるための第１のＯＳが記憶された第１の記憶装置と、前記第１の記憶装置とは物理的に独立して設けられ、シンクライアントコンピュータ装置をシンクライアント端末として動作させるための第２のＯＳが記憶された第２の記憶装置と、前記第１のＯＳと第２のＯＳのいずれかを選択して切り替えるためのＯＳ切り替え手段と、を備えたことを特徴とするシンクライアントコンピュータ装置。
【請求項２】
前記ＯＳ切り替え手段は、シンクライアントコンピュータ装置に電源が投入された際に実行されるＢＩＯＳに組み込まれ、表示手段に表示したＯＳ選択画面上で選択されたＯＳのＭＢＲを読み出してＯＳを切り替えるように構成されたことを特徴とする請求項１に記載のシンクライアントコンピュータ装置。
【請求項３】
前記ＢＩＯＳは、選択されないＯＳが記憶された記憶装置の電源供給をディスエーブル状態に制御することを特徴とする請求項２に記載のシンクライアントコンピュータ装置。
【請求項４】
前記ＯＳ切り替え手段は、前記第１の記憶装置に電源を供給する第１のパワースイッチと、前記第２の記憶装置に電源を供給する第２のパワースイッチにより構成され、ＢＩＯＳは、前記第１のパワースイッチまたは第２のパワースイッチの操作に応じて電源が供給された記憶装置にインストールされたＭＢＲを読み出してＯＳを切り替えるように構成されたことを特徴とする請求項１に記載のシンクライアントコンピュータ装置。
【発明の詳細な説明】
【技術分野】
【０００１】
本発明は、複数のＯＳ（オペレーティングシステム）を備えたコンピュータ装置に関するものであり、特に、コンピュータ装置をシンクライアントシステム用のクライアント装置として用いるためのＯＳと、汎用の一般的なＯＳとを、物理的に独立した記憶装置に記憶しておき、コンピュータ装置の初期立ち上げ時に、何れかのＯＳのみ有効にするようにしたシンクライアントコンピュータ装置に関するものである。
【背景技術】
【０００２】
通常、コンピュータ装置やマイクロコンピュータにより制御される各種の電子機器は、予め１つのＯＳ（オペレーティングシステム）が組み込まれ、当該ＯＳにより各部の動作制御が行われる。ところで、パーソナルコンピュータなどのコンピュータ装置にはいくつかの異なるＯＳが提供されている。ユーザによっては、所有するコンピュータ装置に複数の異なるＯＳを搭載して、任意にＯＳを切り替えて使用したいという要求を有する者も少なくない。また、ＯＳがバージョンアップされ、新たに提供されるようなった場合に、旧バージョンのＯＳを搭載したまま、新しいバージョンのＯＳを追加したいという要求を持つユーザもいる。
【０００３】
異なる複数のＯＳを搭載した電子機器は、例えば、下記の特許文献１（特開平２−１３５５２８号公報）に開示されている。この電子機器は、あらかじめ前記複数のＯＳのうちの１つを起動時に選択する起動ＯＳ選択情報を、前記非破壊記憶手段に格納し、前記装置の起動時に前記プログラム制御手段が、前記非破壊記憶手段から読出した起動ＯＳ選択情報に基づき前記ＯＳを選択し、選択されたＯＳを記憶手段からイニシアルプログラムローデイング（ＩＰＬ）するようにしたものである。
【０００４】
また、下記の特許文献２（特開２００８−２６２４１９号公報）には、複数のオペレーティングシステムＯＳ１、ＯＳ２を並行して実行可能な情報処理装置が開示されている。この情報処理装置は、複数のオペレーティングシステム上で実行されるアプリケーションプログラムＡＰ１、ＡＰ２のＡＰ特性情報を記憶しておき、各オペレーティングシステムの負荷状況を測定して、負荷状況とＡＰ特性情報とに基づいてアプリケーションプログラムを実行するオペレーティングシステムを選択するようにしたものである。
【０００５】
一方、小型で軽量なパソコンが普及するにつれて、パソコンを会社から離れた遠隔地に持ち出して利用したいというニーズが高まりつつある。それに伴って、機密情報が社外に漏洩をすることを防止するために、データの保管は専ら本社にあるサーバ上でのみ行い、パソコン内にハードディスクなどの記憶装置を備えず、サーバ上のデータを利用して計算指示および計算結果の表示を行うための画面情報のみを通信によってサーバとの間で送受信するシンクライアントパソコンが知られている。
【０００６】
例えば、下記の特許文献３（特開２００５−２２８２２７号公報）には、シンクライアント端末上に表示されるＧＵＩ（グラフィックユーザインタフェース）での操作をサーバ上で実行されるアプリケーションへ送信し、この操作に基づいてアプリケーションが実行され、実行結果がシンクライアント端末に送信され、シンクライアント端末上に表示されるＧＵＩに反映させる技術が開示されている。
【０００７】
また、下記の特許文献４（特開２００８−２６９２１０号公報）には、シンクライアントコンピュータに用いるＯＳをリムーバブルメモリユニットに記憶して提供するようにしたリムーバブルメモリユニットおよびコンピュータ装置が開示されている。このリムーバブルメモリユニットおよびコンピュータ装置は、リムーバブル（ＵＳＢ）メモリユニットが、マスタブートレコード（ＭＢＲ）とＯＳ本体が記憶されたＣＤ−ＲＯＭ記憶領域と、ＣＤ−ＲＯＭデバイス情報を記憶したＣＤ−ＲＯＭデバイス情報記憶部と、を備え、ＣＤ−ＲＯＭデバイス情報に基づいてコンピュータ装置からＣＤ−ＲＯＭとして認識されるように構成され、ＣＤ−ＲＯＭ記憶領域に記憶されたマスタブートレコードがコンピュータ装置に搭載されたＢＩＯＳにより読み出され、マスタブートレコードに基づいてＯＳ本体をリムーバブルメモリユニット上で起動するように構成されている。
【先行技術文献】
【特許文献】
【０００８】
【特許文献１】特開平２−１３５５２８号公報
【特許文献２】特開２００８−２６２４１９号公報
【特許文献３】特開２００５−２２８２２７号公報
【特許文献４】特開２００８−２６９２１０号公報
【発明の概要】
【発明が解決しようとする課題】
【０００９】
シンクライアントシステムにおけるクライアント装置であるシンクライアントコンピュータ装置を提供する場合、コンピュータ装置にシンクライアントシステムに対応するＯＳのみをインストールして提供する方法が最も単純な方法である。しかしながらこの方法では、コンピュータ装置はシンクライアントシステムのクライアント装置としてしか用いることができない。
【００１０】
一方、特許文献４に開示されたシステムのように、シンクライアントシステムに対応するためのＯＳをＵＳＢメモリのような可搬型の記憶媒体に記憶しておき、コンピュータ装置から、当該ＵＳＢに記憶されているＯＳを起動し、ＵＳＢメモリ上で当該ＯＳを動作させる方法を採ることもできる。この方法であれば、通常のＯＳがインストールされたコンピュータ装置を所望の時にシンクライアントコンピュータ装置として使用することができるようになる。
【００１１】
図５は、上記特許文献４に開示されたシンクライアントコンピュータ装置の概略構成を示している。コンピュータ装置２００は、パワースイッチ２１１、ＢＩＯＳ（基本入出力システム）２１２、ハードウエア部２１６を備えている。ハードウエア部２１６は、マイクロプロセッサなどのＣＰＵ２１７、ＲＡＭなどのメモリ２１８、プリンタや表示デバイスあるいはネットワークへの入出力を行う入出力デバイス２１９などから構成される。コンピュータ装置２００をシンクライアントコンピュータ装置として動作させるためのＯＳ３１０、アプリケーションプログラム３１２は、ＵＳＢメモリ３００等の可搬型の記憶媒体に記憶されており、コンピュータ装置２００にＵＳＢメモリ３００を接続し、ＢＩＯＳ２１２によってＵＳＢメモリ３００上でＯＳ３１０を起動するように構成される。このような構成では、コンピュータ装置２００は必ずしもハードディスク等の記憶装置２１３を備える必要はない。
【００１２】
なお、ＯＳ３１０をＵＳＢメモリ上で動作させる構成の他、ＵＳＢメモリ３００に記憶されたＯＳ３１０（コンピュータ装置２００のハードディスクなどの記憶装置２１３に一時的に読み込んで展開し、記憶装置２１３上でＯＳ３１０を起動する構成を採ることもできる。
【００１３】
コンピュータ装置２００が記憶装置２１３を備える場合、ＵＳＢメモリ３００に記憶したシンクライアントコンピュータ装置として動作させるＯＳ３１０（第２ＯＳ）の他に、記憶装置２１３に一般の汎用コンピュータ装置としてのＯＳ（第１ＯＳ）をインストールしておき、いずれかのＯＳを選択して使用するように構成することもできる。その場合、ＢＩＯＳ２１２は、まず記憶装置２１３のＯＳ（第1ＯＳ）の所定の領域（例えば、先頭の所定のバイト数の領域）に記憶されたマスタブートレコード（ＭＢＲ）を読出して第１ＯＳを選択するか、あるいは、ＵＳＢメモリ３００に記憶されたＯＳ３１０（第２ＯＳ）を選択するかの切り替えを行う。
【００１４】
しかしながら、この方法ではシンクライアントコンピュータとして使用する場合には、シンクライアントシステムに対応するＯＳが記憶されたＵＳＢメモリが必要であり、ユーザはＵＳＢメモリを管理しなければならないという煩雑さが生じる。
【００１５】
そこで、上記特許文献１や特許文献２に開示されたマルチＯＳを有するコンピュータ装置のような構成とすることが考慮される。すなわち、通常の一般的な汎用ＯＳがインストールされたコンピュータ装置に、シンクライアントシステムに対応するためのＯＳをインストールしてマルチＯＳとすることができる。しかしながら、一般的なコンピュータ装置は、単一のハードディスクを記憶媒体として備えたものであり、ハードディスクを複数の区画に区切り、一つの区画に第１のＯＳをインストールし、他の区画に第２のＯＳをインストールすることになる。コンピュータ装置をパワーオンして立ち上げる時に、第１のＯＳと第２のＯＳのいずれを起動するかを切り替え選択する方法は上記特許文献１、２に開示された方法を適用することもできる。
【００１６】
図６は、ハードディスクに複数のＯＳをインストールした上記のようなコンピュータ装置１００の概略構成を示す図である。コンピュータ装置１００は、パワースイッチ１１１、ＢＩＯＳ（基本入出力システム）１１２、ハードディスク等の記憶装置１１３、ハードウエア部１１６を備えている。ハードウエア部１１６は、マイクロプロセッサなどのＣＰＵ１１７、ＲＡＭなどのメモリ１１８、プリンタや表示デバイスあるいはネットワークへの入出力を行う入出力デバイス１１９などから構成される。
【００１７】
記憶装置１１３は第１区画１１４、第２区画１１５に区画分けされており、第１区画１１４には、第１のＯＳ１１４ａ、第１ＯＳ１１４ａで利用されるアプリケーションプログラム群１１４ｂがインストールされ、第２区画１１５には、第２のＯＳ１１５ａ、第２ＯＳ１１５ａで利用されるアプリケーションプログラム群１１５ｂがインストールされている。ここで、ＯＳの一方、例えば第２ＯＳを、コンピュータ装置１００をシンクライアントコンピュータ装置として動作させるためのＯＳとし、いずれかのＯＳを選択して起動すれば、コンピュータ装置１００を汎用のコンピュータ装置１００とし、あるいは、シンクライアントコンピュータ装置として使用することができる。
【００１８】
図６のような構成のコンピュータ装置１００におけるＯＳの切り替え選択は次のようにして行われる。すなわち、図７に示すように、ＢＩＯＳ１１２は、まず記憶装置１１３の第１区間１１４に記憶された第１ＯＳ１１４ａの所定の領域（例えば、先頭の所定のバイト数の領域）に記憶された第１ＯＳのマスタブートレコード（ＭＢＲ）を読出して第１ＯＳブートローダ画面１２２を表示し、この表示画面で第１ＯＳを選択するか、あるいは、第２区画に記憶された第２ＯＳを選択するかをユーザに選択させることでＯＳの切り替えが行われる。
【００１９】
しかしながら、インストールされたＯＳの一方がシンクライアントシステムに対応するためのＯＳ（第２のＯＳ）、他方が一般的なＯＳ（第１のＯＳ）である場合、これら２つのＯＳは、区画に分けられてはいるものの、同じハードディスク装置にインストールされたものであるから、第１のＯＳが起動された時に、当該第１のＯＳのハードディスク参照機能を用いて第２のＯＳ（シンクライアントシステムに対応するＯＳ）が記憶された第２区画１１５を見ることができる状態になり、専門的な知識を有する者がこれを意図的に操作する恐れがあり、セキュリティーの面で問題を生ずる。
【００２０】
また、通常１つのハードディスクの異なる区画に複数のＯＳがインストールされている場合、図７を参照して説明したように、コンピュータ装置の電源が投入されるとＢＩＯＳにより自動的に一方のＯＳが起動され、他方のＯＳに切り替える場合には、起動されたＯＳの機能を用いて他方のＯＳに切り替える操作が必要になり、ＯＳの選択操作が煩雑であるという問題点もある。
【００２１】
そこで、本発明は上記の問題点を解消することを課題とし、シンクライアントシステムに対応するＯＳと、一般的な汎用のＯＳとを搭載し、かつそれら２つのＯＳを完全に分離してセキュリティーを高めたシンクライアントコンピュータ装置を提供することを目的とするものである。また、本発明は、シンクライアントシステム用のクライアント装置として用いるためのＯＳと、汎用の一般的なＯＳとの切り替えを容易に行えるシンクライアントコンピュータ装置を提供することを他の目的とするものである。
【課題を解決するための手段】
【００２２】
前記課題を解決するために、本願の請求項１にかかる発明は、
シンクライアントコンピュータ装置を汎用コンピュータとして動作させるための第１のＯＳが記憶された第１の記憶装置と、前記第１の記憶装置とは物理的に独立して設けられ、シンクライアントコンピュータ装置をシンクライアント端末として動作させるための第２のＯＳが記憶された第２の記憶装置と、前記第１のＯＳと第２のＯＳのいずれかを選択して切り替えるためのＯＳ切り替え手段と、を備えたことを特徴とする。
【００２３】
また、本願の請求項２にかかる発明は、請求項１にかかる発明において、
前記ＯＳ切り替え手段は、シンクライアントコンピュータ装置に電源が投入された際に実行されるＢＩＯＳに組み込まれ、表示手段に表示したＯＳ選択画面上で選択されたＯＳのＭＢＲを読み出してＯＳを切り替えるように構成されたことを特徴とする。
【００２４】
また、本願の請求項３にかかる発明は、請求項２にかかる発明において、前記ＢＩＯＳは、選択されないＯＳが記憶された記憶装置の電源供給をディスエーブル状態に制御することを特徴とする。
【００２５】
また、本願の請求項４にかかる発明は、請求項１にかかる発明において、
前記ＯＳ切り替え手段は、前記第１の記憶装置に電源を供給する第１のパワースイッチをと、前記第２の記憶装置に電源を供給する第２のパワースイッチにより構成され、ＢＩＯＳは、前記第１のパワースイッチまたは第２のパワースイッチの操作に応じて電源が供給された記憶装置にインストールされたＭＢＲを読み出してＯＳを切り替えるように構成されたことを特徴とする。
【発明の効果】
【００２６】
請求項１にかかる発明においては、
シンクライアントコンピュータ装置を汎用コンピュータとして動作させるための第１のＯＳが記憶された第１の記憶装置と、前記第１の記憶装置とは物理的に独立して設けられ、シンクライアントコンピュータ装置をシンクライアント端末として動作させるための第２のＯＳが記憶された第２の記憶装置と、前記第１のＯＳと第２のＯＳのいずれかを選択して切り替えるためのＯＳ切り替え手段と、を備えた。従って、第２ＯＳがインストールされている第２記憶装置は、第１ＯＳがインストールされている第１記憶装置とは物理的に分けられているので、第１ＯＳが第２記憶装置を参照することはできないから、シンクライアントコンピュータ装置のセキュリティーを高めることができる。
【００２７】
請求項２にかかる発明においては、請求項１にかかる発明において、ＯＳ切り替え手段は、シンクライアントコンピュータ装置に電源が投入された際に実行されるＢＩＯＳに組み込まれ、表示手段に表示したＯＳ選択画面上で選択されたＯＳのＭＢＲを読み出してＯＳを切り替えるように構成される。従って、ユーザは容易に第１ＯＳ、第２ＯＳのいずれかを選択して切り替えすることができるようになる。
【００２８】
請求項３にかかる発明においては、請求項２にかかる発明において、前記ＢＩＯＳは、選択されないＯＳが記憶された記憶装置の電源供給をディスエーブル状態に制御する。すなわち、起動されないＯＳ、例えば、第２ＯＳが記憶された第２記憶装置の電源をディスエーブルの状態に制御するから、起動されたＯＳ、例えば、第１ＯＳから、第２ＯＳが記憶された記憶装置を完全に参照できなくするものであるから、シンクライアントコンピュータ装置のセキュリティーを完全に保つことができるようになる。
【００２９】
請求項４にかかる発明においては、請求項１にかかる発明において、ＯＳ切り替え手段は、前記第１の記憶装置に電源を供給する第１のパワースイッチをと、前記第２の記憶装置に電源を供給する第２のパワースイッチにより構成され、ＢＩＯＳは、前記第１のパワースイッチまたは第２のパワースイッチの操作に応じて電源が供給された記憶装置にインストールされたＭＢＲを読み出してＯＳを切り替えるように構成される。従って、ユーザは容易に第１ＯＳ、第２ＯＳのいずれかを選択して、切り替えすることができるようになる。
【図面の簡単な説明】
【００３０】
【図１】本発明の実施例１にかかるシンクライアントコンピュータ装置の構成を示すブロック図である。
【図２】図１のシンクライアントコンピュータ装置におけるＯＳ選択のための画面の一例を示す図である。
【図３】本発明の実施例１にかかるシンクライアントコンピュータ装置の構成を示すブロック図である。
【図４】図２のシンクライアントコンピュータ装置におせるＯＳ選択手段の構成を示すブロック図である。
【図５】従来のシンクライアントコンピュータ装置の構成を示すブロック図である。
【図６】従来の一般的なマルチＯＳコンピュータ装置の構成を示すブロック図である。
【図７】図６に示すコンピュータ装置におけるＯＳ選択画面を示す図である。
【発明を実施するための形態】
【００３１】
以下、本発明の具体例を実施例及び図面を用いて詳細に説明する。但し、以下に示す実施例は、本発明の技術思想を具体化するためのシンクライアントコンピュータ装置を例示するものであって、本発明をこのシンクライアントコンピュータ装置に特定することを意図するものではなく、特許請求の範囲に含まれるその他の実施形態のシンクライアントコンピュータ装置にも等しく適用し得るものである。
【実施例１】
【００３２】
図１は、本発明の実施例１にかかるシンクライアントコンピュータ装置１０の構成を示すブロック図である。本実施例１にかかるシンクライアントコンピュータ装置１０は、図１に示すように、パワースイッチ１１、ＢＩＯＳ（基本入出力システム）１２、第１記憶装置１４、第１ＯＳ１４ａ、アプリケーションプログラム群１４ｂ、第２記憶装置１５、第２ＯＳ１５ａ、アプリケーションプログラム群１５ｂ、ハードウエア部１６を備えている。ハードウエア部１６は、マイクロプロセッサなどのＣＰＵ１７、ＲＡＭなどのメモリ１８、プリンタや表示デバイスあるいはネットワークへの入出力を行う入出力デバイス１９などから構成される。
【００３３】
第１記憶装置１４には、第１のＯＳがインストールされている。ここでは、第１ＯＳ１４ａは、シンクライアントコンピュータ装置１０を一般的な汎用のコンピュータ装置として動作させるためのＯＳであり、例えば、ウィンドウズ（登録商標）などの一般的な汎用コンピュータ用のＯＳがインストールされる。また、第１記憶装置１４には、第１ＯＳ１４ａのもとで動作する各種のアプリケーションプログラム群１４ｂがインストールされる。第１記憶装置１４は、汎用ＯＳをインストールするため、通常のコンピュータ装置が備えているハードディスクのような記憶装置であってよい。
【００３４】
第２記憶装置１５には、第２のＯＳがインストールされている。ここでは、第２ＯＳ１５ａは、シンクライアントコンピュータ装置１０をシンクライアントコンピュータ装置として動作させるためのＯＳがインストールされる。また、第２記憶装置１５には、第２ＯＳ１５ａのもとで動作する各種のアプリケーションプログラム群１５ｂがインストールされる。第２記憶装置１５は、シンクライアントコンピュータ装置として動作させるＯＳがインストールされるものであり、半導体メモリのような記憶装置であってよい。ＯＳ起動時に半導体メモリに記憶されたＯＳをＲＡＭ上に展開して動作させるように構成することもできる。
【００３５】
パワースイッチ１１はシンクライアントコンピュータ装置１０の電源スイッチであり、パワースイッチ１１をオンすると、各部への電源が供給される。パワースイッチ１１がオンされると、ＢＩＯＳ（Ｂａｓｉｃ  Ｉｎｐｕｔ  Ｏｕｔｐｕｔ  Ｓｙｓｔｅｍ：基本入出力システム）１２が起動される。
【００３６】
従来の一般的なマルチＯＳのコンピュータ装置において、複数のＯＳがインストールされる記憶装置は、図６で説明したように、単一のハードディスクを複数の区画に区分し、１つの区画を１つのＯＳとそのアプリケーションプログラムをインストールし、他の区画に他のＯＳとそのアプリケーションプログラム群がインストールされるようにされる。
【００３７】
これに対して、本発明にかかるシンクライアントコンピュータ装置１０において、第１ＯＳと第２ＯＳか記憶される記憶装置が、物理的に別々の第１記憶装置１４と第２記憶装置１５とから構成されている点で異なる。従って、第１ＯＳ１４ａが起動されている状態で第１ＯＳ１４ａが参照できる記憶装置は第１記憶装置１４のみであり、第２記憶装置１５を参照することはできず、コンピュータ装置に関する高度な知識を有するユーザであっても、第２記憶装置１５に記憶された第２ＯＳ１５ａやそのアプリケーションプログラム群１５ｂの内容を参照することはできない。このため、シンクライアントコンピュータ装置１０のセキュリティーを高めることができる。
【００３８】
また、本実施例１にかかるシンクライアントコンピュータ装置１０においては、以下に説明するようにＢＩＯＳ１２が起動されないＯＳが記憶された記憶装置の電源をディスエーブルに制御することで、起動されたＯＳから起動されていないＯＳが記憶された記憶装置を完全に参照することができないように構成することで、シンクライアントコンピュータ装置１０のセキュリティーを完全に保つように構成している。
【００３９】
また、従来のマルチＯＳ型のコンピュータ装置では、電源が投入され、ＢＩＯＳが起動されると、図７で説明したように、ＢＩＯＳは、まず記憶装置の第１区画に記憶されたＯＳの所定の領域に記憶された第ＯＳのマスタブートレコード（ＭＢＲ）を読出してＯＳブートローダ画面を表示し、この表示画面で第１ＯＳを選択するか、あるいは、第２区画に記憶された第２ＯＳを選択するかをユーザに選択させることで行われる。
【００４０】
これに対して、本発明にかかるシンクライアントコンピュータ装置１０においては、ＢＩＯＳ１２にＯＳ切り替え手段が組み込まれており、ＢＩＯＳ１２が起動されると、図２に示すＯＳ選択画面２２がコンピュータのデスクトップ画面に表示される。この画面でユーザがどちらかのＯＳを選択すると、ＢＩＯＳ１２は選択されたＯＳのマスタブートレコード（ＭＢＲ）を読み出して、選択されたＯＳを起動し、そのデスクトップ画面を表示する。例えば、第２ＯＳ１５ａが選択されると、ＢＩＯＳ１２は第２記憶装置１５に記憶された第２ＯＳ１５ａを起動し、その先頭領域からマスタブートレコードを読み出して第２ＯＳ１５ａのデスクトップ画面を表示する。これによりシンクライアントコンピュータ装置１０はシンクライアントシステムのクライアント端末として動作するようになる。
【００４１】
一方、第１ＯＳ１４ａが選択されると、ＢＩＯＳ１２は第１記憶装置１４に記憶された第１ＯＳ１４ａを起動し、その先頭領域からマスタブートレコードを読み出して第１ＯＳ１４ａのデスクトップ画面を表示する。これによりシンクライアントコンピュータ装置１０は通常の一般的な汎用コンピュータとして動作するようになる。この状態では第２ＯＳ１５ａがインストールされている第２記憶装置１５は、第１ＯＳ１４ａがインストールされている第１記憶装置とは物理的に分けられているので、第１ＯＳ１４ａが第２記憶装置１５を参照することはできないから、シンクライアントコンピュータ装置１０のセキュリティーを高めることができる。
【００４２】
また、先に説明したように、シンクライアントコンピュータ装置１０においては、起動されない第２ＯＳ１５ａが記憶された第２記憶装置１５の電源をディスエーブルの状態に制御するから、起動された第１ＯＳ１４ａから第２ＯＳ１５ａが記憶された記憶装置１５を完全に参照できなくしている。従って、シンクライアントコンピュータ装置１０のセキュリティーを完全に保つことができる。
【００４３】
ここで、第２ＯＳ１５ａによるシンクライアントコンピュータ装置１０の動作は、シンクライアントコンピュータ装置１０上に表示されるＧＵＩ（グラフィックユーザインタフェース）での操作をサーバ上で実行されるアプリケーションへ送信し、この操作に基づいてアプリケーションが実行され、実行結果がシンクライアントコンピュータ装置１０に送信され、シンクライアントコンピュータ装置１０上に表示されるＧＵＩに反映させるものである。
【００４４】
従って、シンクライアントコンピュータ装置１０で行われるデータ処理は、全てサーバ上で行われ、シンクライアントコンピュータ装置１０にデータが保存されることはない。シンクライアントシステムではユーザに種々のアクセス権限を設定できる。例えば、ユーザ毎に、データの種別毎に、参照のみ許可、書換えを許可、印刷を許可など、各種の権限レベルを設定することができる。このような処理は、一般的なシンクライアント端末装置、シンクライアントシステム（例えば、上記特許文献３）と同様であり、詳細説明は省略する。
【００４５】
以上、説明したように、本発明の実施例１にかかるシンクライアントコンピュータ装置１０は、ＯＳがインストールされる記憶装置を物理的に区分し、ＢＩＯＳにＯＳ切り替え手段が組み込まれており、ＢＩＯＳにより表示されるＯＳ選択画面によりいずれかのＯＳをユーザが選択するように構成したので、一方の記憶装置に記憶されたＯＳが選択、起動された際に、起動されたＯＳにより他のＯＳがインストールされた他の記憶装置を参照することはできず、シンクライアントコンピュータ装置１０のセキュリティーを高めることができる。
【実施例２】
【００４６】
図３は、本発明の実施例２にかかるシンクライアントコンピュータ装置１０の構成を示すブロック図である。実施例２にかかるシンクライアントコンピュータ装置１０は、パワースイッチが、パワースイッチＡ（１２ａ）とパワースイッチＢ（１２ｂ）とに分けられ、それぞれのパワースイッチが、それぞれのＯＳが記憶された記憶装置に対して電源供給するように記憶装置への電源供給が独立している点で実施例１にかかるシンクライアントコンピュータ装置１０と相違し、また、ＢＩＯＳ１３がＯＳ切り替え手段を有していない点で相違する。なお、パワースイッチＡ（１２ａ）とパワースイッチＢ（１２ｂ）のいずれがオンしてもハードウエア部１６にはともに電源が供給されることはいうまでもない。
【００４７】
本発明の実施例２にかかるシンクライアントコンピュータ装置１０は、図３に示すように、パワースイッチ１２ａ、１２ｂ、ＢＩＯＳ（基本入出力システム）１３、第１記憶装置１４、第１ＯＳ１４ａ、アプリケーションプログラム群１４ｂ、第２記憶装置１５、第２ＯＳ１５ａ、アプリケーションプログラム群１５ｂ、ハードウエア部１６を備えている。ハードウエア部１６は、マイクロプロセッサなどのＣＰＵ１７、ＲＡＭなどのメモリ１８、プリンタや表示デバイスあるいはネットワークへの入出力を行う入出力デバイス１９などから構成される。
【００４８】
第１記憶装置１４には、第１のＯＳがインストールされている。ここでは、第１ＯＳ１４ａは、シンクライアントコンピュータ装置１０を一般的な汎用のコンピュータ装置として動作させるためのＯＳであり、例えば、ウィンドウズ（登録商標）などの一般的な汎用コンピュータ用のＯＳがインストールされる。また、第１記憶装置１４には、第１ＯＳ１４ａのもとで動作する各種のアプリケーションプログラム群１４ｂがインストールされる。第１記憶装置１４は、実施例１と同様にハードディスクであってよい。
【００４９】
第２記憶装置１５には、第２のＯＳがインストールされている。ここでは、第２ＯＳ１５ａは、シンクライアントコンピュータ装置１０をシンクライアントコンピュータ装置として動作させるためのＯＳがインストールされる。また、第２記憶装置１５には、第２ＯＳ１５ａのもとで動作する各種のアプリケーションプログラム群１５ｂがインストールされる。第２記憶装置１５は、実施例１と同様に半導体メモリであってよい。
【００５０】
パワースイッチ１２ａ、１２ｂはそれぞれ、シンクライアントコンピュータ装置１０の電源スイッチであり、パワースイッチ１２ａをオンすると、第１記憶装置１４と、その他の各部への電源が供給される。また、パワースイッチ１２ｂがオンされると、第１記憶装置１４と、その他の各部への電源が供給される。いずれかのパワースイッチ１２ａまたは１２ｂがオンされると、ＢＩＯＳ（Ｂａｓｉｃ  Ｉｎｐｕｔ  Ｏｕｔｐｕｔ  Ｓｙｓｔｅｍ：基本入出力システム）１３が起動される。ＢＩＯＳ１３は電源が供給されている記憶装置、例えば、パワースイッチ１２ａがオンされた場合は、記憶装置１４から第１ＯＳ１４ａのマスタブートレコードを読み出して第１ＯＳ１４ａのデスクトップ画面を表示し、第１ＯＳ１４ａを起動する。これによりシンクライアントコンピュータ装置１０は、一般の汎用コンピュータ装置として動作する。
【００５１】
一方、パワースイッチ１２ｂがオンされた場合は、記憶装置１５から第２ＯＳ１５ａのマスタブートレコードを読み出して第２ＯＳ１５ａのデスクトップ画面を表示し、第２ＯＳ１４ｂを起動する。これによりシンクライアントコンピュータ装置１０はシンクライアントシステムのクライアント端末として動作するようになる。これによりシンクライアントコンピュータ装置１０はシンクライアントシステムのクライアント端末として動作するようになる。
【００５２】
従って、パワースイッチ１２ａがオンされ、第１ＯＳ１４ａが起動されたシンクライアントコンピュータ装置１０が通常の一般的な汎用コンピュータとして動作する場合には、第２ＯＳ１５ａがインストールされている第２記憶装置１５には電源が供給されておらず、第１ＯＳ１４ａが第２記憶装置１５を参照することはできないから、シンクライアントコンピュータ装置１０のセキュリティーを高めることができる。
【００５３】
以上、説明したように、本発明の実施例２にかかるシンクライアントコンピュータ装置１０は、ＯＳがインストールされる記憶装置を物理的に区分するとともに、パワースイッチを複数設けてそれぞれのＯＳがインストールされた記憶装置に電源を供給することで、パワースイッチをＯＳ選択手段として機能させ、いずれかのパワースイッチをユーザが選択、操作するように構成したので、一方の記憶装置に記憶されたＯＳが選択、起動された際に、起動されたＯＳにより他のＯＳがインストールされた他の記憶装置を参照することはできず、シンクライアントコンピュータ装置１０のセキュリティーを高めることができる。
【符号の説明】
【００５４】
１０・・・・シンクライアントコンピュータ装置
１１・・・・パワースイッチ
１２・・・・ＢＩＯＳ（基本入出力システム）
１４・・・・第１記憶装置
１４ａ・・・第１ＯＳ
１４ｂ・・・アプリケーションプログラム群
１５・・・・第２記憶装置
１５ａ・・・第２ＯＳ
１５ｂ・・・アプリケーションプログラム群
１６・・・・ハードウェア部
１７・・・・ＣＰＵ
１８・・・・メモリ
１９・・・・入出力デバイス
【図１】
2012037956.tif 000003
【図２】
2012037956.tif 000004
【図３】
2012037956.tif 000005
【図４】
2012037956.tif 000006
【図５】
2012037956.tif 000007
【図６】
2012037956.tif 000008
【図７】
2012037956.tif 000009